(57)【特許請求の範囲】
【請求項１】
デバイスであって、
データ信号を受信又は送信することを容易にするよう構成されるカプラーアンテナと、
前記データ信号を処理するよう構成される無線通信モジュールと、
前記カプラーアンテナを前記無線通信モジュールへ結合するフィルタユニットと、
充電電力の受電を容易にするよう構成される無線充電ユニットと
を有し、
前記フィルタユニットは、当該デバイスによって前記データ信号を受信又は送信し且つ同時に前記充電電力を受けるために、前記データ信号に対しては短絡回路として働き、前記充電電力に対しては高インピーダンスを示すよう構成される高周波フィルタユニットであり、前記無線通信モジュールの入力ポート及び出力ポートの夫々に位置付けられるデカップリングキャパシタを有する、デバイス。
【請求項２】
前記無線充電ユニットは、
当該デバイスの底面に位置付けられ、該底面において開口を形成する切り抜きを有し、受動デバイス電極として構成される導電性シャーシと、
前記切り抜きの範囲を覆うよう位置付けられる誘電性挿入物と、
前記誘電性挿入物と一体にされ、能動デバイス電極として構成される導電性プレートと
を有し、
前記能動デバイス電極及び前記受動デバイス電極は、前記充電電力の受電を容易にする、
請求項１に記載のデバイス。
【請求項３】
前記無線通信モジュールは、Ｗｉ−Ｆｉモジュールであり、
前記デカップリングキャパシタは、前記Ｗｉ−Ｆｉモジュールの入力ポート及び出力ポートの夫々に位置付けられる、
請求項１又は２に記載のデバイス。
【請求項４】
前記高周波フィルタユニットは、ワイヤレス・コネクティビティの間に前記カプラーアンテナと他のカプラーアンテナとの間の結合キャパシタンスに応じて変化する前記データ信号の振幅を制御するよう構成されるアッテネータを含む、
請求項１乃至３のうちいずれか一項に記載のデバイス。
【請求項５】
前記無線充電ユニットは、前記カプラーアンテナによって接地プレーンとして用いられる導電性プレート、又はシステム接地へ直接接続される導電性シャーシを含む、
請求項１乃至４のうちいずれか一項に記載のデバイス。
【請求項６】
前記フィルタユニットは、前記データ信号の連続性を容易にするよう構成されるディスクリート・バランの組を含む、
請求項１に記載のデバイス。
【請求項７】
ドッキングコンボであって、
データ信号の受信又は送信することを容易にするよう構成されるカプラーアンテナと、
前記データ信号を処理するよう構成される無線通信モジュールと、
前記カプラーアンテナを前記無線通信モジュールへ結合するフィルタユニットと
充電電力の受電を容易にするよう構成される無線充電ユニットと
を有し、
前記フィルタユニットは、当該ドッキングコンボによって前記データ信号を受信又は送信し且つ同時に前記充電電力を受けるために、前記データ信号に対しては短絡回路として働き、前記充電電力に対しては高インピーダンスを示すよう構成される高周波フィルタユニットであり、前記無線通信モジュールの入力ポート及び出力ポートの夫々に位置付けられるデカップリングキャパシタを有する、無線ドッキングコンボ。
【請求項８】
前記無線充電ユニットは、
当該無線ドッキングコンボの底面に位置付けられ、該底面において開口を形成する切り抜きを有し、受動デバイス電極として構成される導電性シャーシと、
前記切り抜きの範囲を覆うよう位置付けられる誘電性挿入物と、
前記誘電性挿入物と一体にされ、能動デバイス電極として構成される導電性プレートと
を有し、
前記能動デバイス電極及び前記受動デバイス電極は、前記充電電力の受電又は送電を容易にする、
請求項７に記載の無線ドッキングコンボ。
【請求項９】
前記無線充電ユニットは、前記カプラーアンテナによって接地プレーンとして用いられる導電性プレート、又はシステム接地へ直接接続される導電性シャーシを含む、
請求項７又は８に記載の無線ドッキングコンボ。
【請求項１０】
前記高周波フィルタユニットは、ワイヤレス・コネクティビティの間に前記カプラーアンテナと他のカプラーアンテナとの間の結合キャパシタンスに応じて変化する前記データ信号の強さを制御するよう構成されるアッテネータを含む、
請求項７乃至９のうちいずれか一項に記載の無線ドッキングコンボ。
【請求項１１】
前記フィルタユニットは、前記データ信号の連続性を容易にするよう構成されるディスクリート・バランの組を含む、
請求項７に記載の無線ドッキングコンボ。
【請求項１２】
デバイスにおいて無線充電及びワイヤレス・コネクティビティのコンボを実装する方法であって、
カプラーアンテナを通じてデータ信号を受信又は送信するステップと、
無線充電ユニットを通じて無線充電電力を受けるステップと、
前記デバイスによって前記データ信号を受信又は送信し且つ同時に前記無線充電電力を受けるために、前記データ信号を処理するよう構成される無線通信モジュールの入力ポート及び出力ポートの夫々に位置付けられるデカップリングキャパシタを有し、前記データ信号に対しては短絡回路として働き、前記無線充電電力に対しては高インピーダンスを示すよう構成される高周波フィルタユニットを用いることによって、前記データ信号を前記無線充電電力から離すステップと
を有する方法。
【請求項１３】
前記データ信号の受信又は送信は、前記データ信号の強さは、ワイヤレス・コネクティビティの間に前記カプラーアンテナと他のカプラーアンテナとの間の結合キャパシタンスに応じて変化する前記データ信号の強さを制御するよう構成されるアッテネータを使用することを含む、
請求項１２に記載の方法。
【発明の詳細な説明】
【背景技術】
【０００１】
ドッキングステーション構成は、例えば、モニタ、キーボード、マウス、外付けハードドライブ、ウェブカム、等のような周辺機器を、例えば、ラップトップコンピュータのようなデバイスへ接続する方法を提供し得る。例えば、携帯電話機、タブレット、等のような多種多様なデバイスが、それらの周辺機器への便利な接続を提供するようドッキングされ得る。
【０００２】
ドッキングステーション構成は、デバイスに対する無線充電及びワイヤレス・コネクティビティを容易にし得る。例えば、無線充電は、ドッキングステーションからデバイスへの電力伝送を通じて実施され得る。無線電力伝送は、例えば、デバイス及びドッキングステーションにおいて設置又は実装される電極の組を必要とし得る。他方で、ワイヤレス・コネクティビティは、デバイス及びドッキングステーションにおいて設置される追加のカプラーアンテナを必要とし得る。
【０００３】
より小さく且つより薄いデバイスによれば、電極の組及びカプラーアンテナの設置又は実装は、そのようなデバイス内の空間の利用可能性によって物理的に制限される。例えば、より薄いデバイスに電極の組を組み込むために、そのような組み込みは、その全体の構造に不必要な厚みサイズを加えることができない。更には、デバイスにおけるカプラーアンテナ及び電極の組の組み込みは、ワイヤレス・コネクティビティに対する干渉を生成し、且つ、無線充電の効率に影響を及ぼし得る。
【０００４】
然るに、そのようなデバイスへの電極の組及びカプラーアンテナの有効な組み込みを可能にする解決法が望ましい。
【図面の簡単な説明】
【０００５】
【図１】例となるドッキングステーション構成を表す。
【図２】デバイスとドッキングステーションとの間の無線充電及びワイヤレス・コネクティビティを実施する例となるシナリオを表す。
【図３】デバイスにおける無線充電ユニット及び内蔵カプラーアンテナの例となる構造を表す。
【図４】デバイスの無線充電を実施する例となるシステムブロック図を表す。
【図５】デバイスの無線充電を実施するシステムブロック図の例となる等価回路を表す。
【図６】ワイヤレス・コネクティビティ動作の間のカプラーアンテナの例となる構造及び電気的特性を表す。
【図７】無線充電ユニット及びカプラーアンテナに基づく無線ドッキングコンボの例となる略図を表す。
【図８】無線充電電力信号からデータ信号を離す試作基板の例示を示す。
【図９】ドッキング側での無線ドッキングコンボの例となるシステムレベルのブロック図を表す。
【図１０】デバイス側での無線ドッキングコンボの例となるシステムレベルのブロック図を表す。
【図１１】デバイスにおいて無線充電及びワイヤレス・コネクティビティを実装する例となる方法を表す例となるプロセスチャートを示す。
【発明を実施するための形態】
【０００６】
以下の詳細な説明は、添付の図面を参照して与えられる。図において、参照符号の最左の数字は、通常、参照符号が最初に現れる図を特定する。異なる図における同じ参照符号の使用は、類似した又は同一の項目を示す。
【０００７】
本明細書は、デバイスにおいて無線充電及びワイヤレス・コネクティビティを実装する１つ以上のシステム、装置、方法、等を開示する。例えば、デバイスは、無線充電及びワイヤレス・コネクティビティを実装するために夫々無線充電ユニット及びカプラーアンテナを用いる。この例では、カプラーアンテナは、無線充電ユニットと一体にされてよい。一体化は、例えば、無線充電によってワイヤレス・コネクティビティに与えられ得る干渉を最小限にする。
【０００８】
例となる実施において、デバイスは、その基部において無線充電ユニットを有する。無線充電ユニットは、例えば、ドッキングステーションのような他のデバイスから充電電力を受けるために用いられる。この例では、無線充電ユニットは、ドッキングステーションのドッキング面に設置されている容量性充電器コンポーネントと対にされる。
【０００９】
無線充電ユニットと容量性充電器コンポーネントとの間の最近接（すなわち、対になっている間）は、容量性結合を通じた充電電力の伝送を容易にし得る。例えば、デバイスは、その無線充電ユニットを通じて、容量性充電器コンポーネントによって生成される充電電力を受けてよい。容量性結合を通じた充電は、例えば、位置フレキシビリティ、高電力伝送、高伝送効率、及びデバイスの高さ増大なしといった固有の特性を提供し得る。
【００１０】
例となる実施において、無線充電ユニットは、受動デバイス電極として働くよう構成される導電性シャーシ（例えば、金属シャーシ）を有する。この実施では、導電性シャーシは、切り抜きを含み、該切り抜きは、導電性シャーシの平面に沿って開口を形成する。次いで、切り抜きは、誘電性挿入物により覆われる。誘電性挿入物は、無線充電ユニットを、特に受動デバイス電極を、能動デバイス電極から絶縁するために使用される。
【００１１】
誘電性挿入物は、例えば、機械的な強さを切り抜きに与えるプラスチック材料を有する。例となる実施において、導電性プレートは、誘電性挿入物と一体にされる。例えば、導電性プレートは、誘電性挿入物に実装又は積層される能動デバイス電極として働くよう構成される。この例では、受動デバイス電極と能動デバイス電極との組み合わせは、容量性無線充電電力の受電を容易にする。
【００１２】
ここでの本実施の例として、カプラーアンテナは、無線ドッキングコンボを形成するよう無線充電ユニットに一体にされる。この無線ドッキングコンボでは、カプラーアンテナは、データ信号の受信又は送信を容易にする。他方で、無線充電ユニットは、ドッキングステーションから別に充電電力を受ける。言い換えると、カプラーアンテナ及び無線充電ユニットは、別個の信号に対して動作する。例えば、データ信号は、ワイヤレス・コネクティビティの間にワイヤレス・フィデリティ（Ｗｉ−Ｆｉ）モジュールによって受信されて処理され、一方で、充電電力は、無線充電ユニットによって受電されて処理される。
【００１３】
無線ドッキングコンボは、無線充電信号とワイヤレス・コネクティビティのデータ信号とを分けるべきである。容量性無線充電電力がデータ信号と干渉しないよう、高周波フィルタ（例えば、デカップリングキャパシタ、アッテネータ、等）が、カプラーアンテナをＷｉ−Ｆｉモジュールに結合するために用いられてよい。例えば、高周波フィルタは、データ信号に対する短絡回路として働き、一方で、それは、高インピーダンスを容量性無線充電電力に与える。この例では、デカップリングキャパシタは、無線充電効率を保つよう、無線ドッキングコンボにおいてキャパシタンス低減を更に与えることができる。更には、無線ドッキングコンボによって導入される更なるキャパシタンスを防ぐよう、接地基準の回路面積は削減される。例えば、接地基準は、無線充電ユニットにおいて能動デバイス電極と同じ電位を持つ回路面積を含む。
【００１４】
図１は、ドッキングステーションを通じて周辺機器と接続するデバイス（例えば、無線デバイス）を示す、例となるドッキングステーション構成１００を表す。図１は、例えば、無線デバイス１０２、周辺機器１０４、ドッキングステーション１０６、及び有線リンク１０８を含む。ある実施において、有線リンク１０８は、ドッキングステーションから各周辺機器への多重リンクである。周辺機器１０４は、例えば、モニタ１０４−２、キーボード１０４−４、及びマウス１０４−６を有する。周辺機器のリストは、制限的ではなく、他の周辺機器は、外付けハードドライブ、ウェブカム、等を含んでよいことが理解される。
【００１５】
無線デバイス１０２は、周辺機器１０４との無線通信を確立するためにドッキングステーション１０６を用いる。例えば、無線デバイス１０２は、モニタ１０４−２を外付け無線ディスプレイ（すなわち、Ｗｉ−Ｄｉ）として使用している。この例では、無線デバイス１０２は、モニタ１０４−２を用いるために、ドッキングステーション１０６と近接近して（例えば、数ミリメートル）位置付けられる。ドッキングステーション１０６は、ここでは、有線リンク１０８を通じてモニタ１０４−２へ接続される。他方で、無線デバイス１０２とドッキングステーション１０６との間のワイヤレス・コネクティビティは、それらの夫々のカプラーアンテナ（図示せず。）を通じて実施される。
【００１６】
他のシナリオでは、無線デバイス１０２は、無線充電のためにドッキングステーション１０６を用いる。例えば、無線デバイス１０２は、ドッキングステーション１０６からの容量性無線電力伝送を受けるよう構成される無線充電ユニット（図示せず。）を有する。この例では、容量性無線電力伝送は、無線充電ユニットとドッキングステーション１０６の容量性充電器コンポーネント（図示せず。）との間の電気的影響を通じて実施される。
【００１７】
実施において、無線充電ユニットは、無線デバイス１０２の底面又は基部に位置付けられるデバイス電極（すなわち、能動及び受動電極）の組を有する。この電極の組は、例えば、ドッキングステーション１０６の表平面（すなわち、ドッキング面）に位置付けられる容量性充電器コンポーネントと対にされる。表平面は、例えば、無線デバイス１０２が通常はドッキング動作の間に着地している範囲を含む。
【００１８】
実施において、無線デバイス１０２は、タブレットコンピュータ、ネットブックコンピュータ、ノートブックコンピュータ、ラップトップコンピュータ、携帯電話機、セルラー電話機、スマートフォン、パーソナルデジタルアシスタント、マルチメディア再生デバイス、デジタル音楽プレイヤー、デジタルビデオプレイヤー、ナビゲーションデバイス、デジタルカメラ、及び同様のものを含んでよいが、それらに限られない。
【００１９】
同様に、周辺機器１０４は、インプット、アウトプット、又はストレージ周辺機器１０４を含んでよいが、それらに限られない。インプット周辺機器１０４は、例えば、キーボード１０４−４、マウス１０４−６、又はウェブカム（図示せず。）等を通じて、ユーザから無線デバイス１０２へ入力を与えてよい。アウトプット周辺機器１０４は、例えば、モニタ１０４−２又はプリンタ（図示せず。）のように、ユーザに出力を与えてよい。ストレージ周辺機器１０４は、例えば、ハードドライブ（図示せず。）又はフラッシュドライブ（図示せず。）を通じて、コンピューティングセッションどうしの間でデータ（図示せず。）を記憶してよい。
【００２０】
図２は、無線デバイス１０２とドッキングステーション１０６との間で無線充電及びワイヤレス・コネクティビティを実施する、例となるシナリオを表す。
【００２１】
示されるように、図２は、無線充電ユニット２００を備える無線デバイス１０２と、容量性充電器コンポーネント２０２を実装されたドッキングステーション１０６とを表す。加えて、カプラーアンテナ２０４は、無線充電ユニット２００に一体にされ、一方、他のカプラーアンテナ２０６は、容量性充電器コンポーネント２０２に一体にされる。
【００２２】
例となる実施において、無線デバイス１０２は、無線データ伝送を送信又は受信するために、ドッキングステーション１０６の平面にドッキングする。例えば、カプラーアンテナ２０４及び２０６の間の近接近は、無線デバイス１０２とドッキングステーション１０６との間の無線通信を確立する。この例では、確立された無線通信は、無線データ伝送の送信及び受信のために利用される。例えば、それらの夫々のカプラーアンテナは、無線デバイス１０２とドッキングステーション１０６との間のドッキング動作の間に位置フレキシビリティを容易にするために、互いに垂直に位置付けられる。
【００２３】
無線データ伝送動作の間、無線デバイス１０２は、無線充電ユニット２００と容量性充電器コンポーネント２０２との間の電気的影響を通じて、充電電力を更に受けてよい。例えば、容量性充電器コンポーネント２０２は、電界を発生させるよう電圧を印加される。この例では、発生した電界は、容量性充電器コンポーネント２０２と近接近して位置付けられる無線充電ユニット２００への充電電力の伝送を容易にしてよい。言い換えると、無線デバイス１０２がワイヤレス・コネクティビティ（例えば、無線データ伝送）を実行するようドッキングステーション１０６においてドッキングされる場合に、無線デバイス１０２は、充電電力も受けることができる。無線充電ユニット２００と容量性充電器コンポーネント２０２との垂直配置は、無線デバイス１０２の相対的な位置フレキシビリティを可能にしてよい。無線充電ユニット２００及び容量性充電器コンポーネント２０２は、電極と呼ばれ得る。
【００２４】
無線充電ユニット２００及び容量性充電器コンポーネント２０２が組み込まれることにより、無線充電信号とデータ信号との分離は、それらを個別的に処理するよう処理するために必要である。実施において、カプラーアンテナ２０４と無線充電ユニット２００との一体化は、無線充電の効率に影響を及ぼし得る付加的な不必要なキャパシタンスの量を導入し得る。このために、追加のデカップリングキャパシタンス（図示せず。）が、高い無線充電効率を得るよう無線充電ユニット２００及びカプラーアンテナ２０４の回路構成に組み込まれてよい。同時に、デカップリングキャパシタンスはまた、無線データ伝送に対する充電電力の影響（例えば、干渉）を最小限にする。
【００２５】
引き続き図２を参照して、カプラーアンテナ２０４及び２０６は、例えば、互いと垂直に位置付けられる個別的なマイクロストリップラインを有してよい。例えば、カプラーアンテナ２０４のマイクロストリップラインは、カプラーアンテナ２０６のマイクロストリップラインに対して方向において垂直に位置付けられる。この例では、垂直構成は、カプラーアンテナ間の高い結合効率及び位置フレキシビリティを生成するよう、重なり合った領域を設ける。
【００２６】
図３（ａ）は、ここで記載される、無線充電ユニット２００を組み込まれた無線デバイス１０２の例となる構造を示す。他方で、図３（ｂ）は、無線充電ユニット２００及び内蔵カプラーアンテナ２０４の上面図を示す。
【００２７】
無線充電ユニット２００は、無線デバイス１０２の底部に位置付けられる、例えば金属シャーシ３００のような導電性シャーシを有する。例えば、金属シャーシ３００は、無線デバイス１０２の底部及び周囲のキーボード領域を覆ってよい。この例では、金属シャーシ３００は、無線デバイス１０２のシステム接地（図示せず。）へ直接接続され、受動デバイス電極３０２として構成される。言い換えると、受動デバイス電極３０２の接地は、システム接地を対象とし、静電気放電（ＥＳＤ；electrostatic  discharge）ノイズがアース接地に伝わる経路を提供する。
【００２８】
引き続き図３（ｂ）を参照して、図３（ｂ）は、切り抜き３０４、誘電性挿入物３０６、能動デバイス電極３０８、受動デバイス電極３０２及びカプラーアンテナ２０４とともに金属シャーシ３００の上面図を示す。
【００２９】
例となる実施において、切り抜き３０４は、金属シャーシ３００の表面から除去された、金属シャーシ３００の一部分である。例えば、切り抜き３０４は、金属シャーシ３００の中央部分に沿って取り除かれた四角形形状、円形形状、又は長円形形状である。この例では、誘電性挿入物３０６は、切り抜き３０４によって画定される領域を覆うよう挿入される。
【００３０】
ここでの本実施の例として、誘電性挿入物３０６は、金属シャーシ３００の除去された部分に機械的な強さを与えるようコンポジット材料（例えば、プラスチック材料）から作られる。更には、誘電性挿入物３０６は、受動デバイス電極３０２として働くよう構成される金属シャーシ３００への絶縁を与える。
【００３１】
例となる実施において、誘電性挿入物３０６は、能動デバイス電極３０８を組み込まれている。例えば、能動デバイス電極３０８は、誘電性挿入物３０６の中央部分に沿って積層される導電性プレートである。この例では、カプラーアンテナ２０４が更に能動デバイス電極３０８に一体にされる。誘電体インセット６０４、能動デバイス電極３０８及びカプラーアンテナ２０４の組み合わされた厚さ（すなわち、総厚さ）は、金属シャーシ３００の厚さに適応する。言い換えると、無線デバイス１０２への無線充電ユニット２００の導入は、無線デバイス１０２内の空間の利用可能性によって制限されない。
【００３２】
図４は、無線デバイス１０２の無線充電を実施する、例となるシステム４００を表す。
【００３３】
例となるシステム４００は、ドッキングステーション１０６及び無線デバイス１０２の無線充電システムブロック図を示す。例えば、ドッキングステーション１０６は、送信器４０２を有するよう構成され、一方、無線デバイス１０２は、受信器４０４を有するよう構成される。送信器４０２は、充電電力を送電し、一方、受信器４０４は、送信器４０２と受信器４０４との間の電気的影響を通じて充電電力を受電する。
【００３４】
ここでの本実施の例として、送信器４０２は、能動ドッキング電極４０６、受動ドッキング電極４０８、ＡＣ／ＤＣユニット４１０、インバータドライバ４１２、コントローラ４１４、及び昇圧変圧器４１６を有する。実施において、送信器４０２は、ドッキングステーション１０６の容量性充電器コンポーネント２０２として扱われてよい。
【００３５】
引き続き図４を参照して、受信器４０４は、能動デバイス電極３０８、受動デバイス電極３０２、降圧変圧器４１８、整流器４２０、電圧レギュレータ４２２及び負荷４２４を有する。実施において、受信器４０４は、無線デバイス１０２の無線充電ユニット２００として扱われる。
【００３６】
無線充電（すなわち、電力伝送動作）の間、能動ドッキング電極４０６及び能動デバイス電極３０８は、等価キャパシタ（図示せず。）を形成しながら互いと近接近している。能動ドッキング電極４０６が昇圧変圧器４１６によって高電圧又は電位を供給されるとき、高電界が能動ドッキング電極４０６と能動デバイス電極３０８との間及びその周囲に形成される。このために、電流は、能動ドッキング電極４０６から能動デバイス電極３０８へ流れる。
【００３７】
同様に、受動ドッキング電極４０８及び受動デバイス電極３０２の近接は、他の等価キャパシタ（図示せず。）を形成する。等価キャパシタは、リターン電流が受動デバイス電極３０２から受動ドッキング電極４０８へ、そして昇圧変圧器４１６へ戻るよう流れることを可能にする。
【００３８】
ここでの本実施の例として、能動ドッキング電極４０６と能動デバイス電極３０８との間の電気的影響は、ドッキングステーション１０６と無線デバイス１０２との間の容量性無線充電を容易にする。
【００３９】
例えば、送信器４０２の側では、ＡＣ／ＤＣユニット４１０は、直流（ＤＣ）出力を供給する。次いで、インバータドライバ４１２は、交流（ＡＣ）入力を昇圧変圧器４１６へ供給することにおいて、ＤＣ出力を変換して利用する。通常、インバータドライバ４１２及び昇圧変圧器４１６は、高電圧高周波（ＨＶＨＦ；High  Voltage  High  Frequency）電力発生器であり、その動作は、コントローラ４１４によって制御される。例えば、昇圧変圧器４１６は、多量の電圧を能動ドッキング電極４０６へ供給する。この例では、コントローラ４１４は、インバータドライバ４１２によって供給されるＡＣ入力の量に加えて、昇圧変圧器４１６によって生成される電圧の量も調整する。
【００４０】
昇圧変圧器４１６は、より高い電位を能動ドッキング電極４０６へ供給し、一方、受動ドッキング電極４０８は、より低い電位の対象になる（すなわち、リザーバ又は接地として扱われる。）。この設定では、能動ドッキング電極４０６は、高電界を発生させ、それにより、ドッキングステーション１０６の能動ドッキング電極４０６から無線デバイス１０２の能動デバイス電極３０８へのエネルギの伝送を容易にする。
【００４１】
受信器４０４の側では、降圧変圧器４１８は、能動デバイス電極３０８から誘導ＡＣ電位を受け、このＡＣ電位の量を低下又は低減する。例えば、ＡＣ電位の低減は、負荷４２４を充電するようにバイアシング電圧の量に従うよう実施される。この例では、整流器４２０は、低減されたＡＣ電位をＤＣ出力に変換する。次いで、ＤＣ出力は、電圧レギュレータ４２２へ供給される。電圧レギュレータ４２２は、負荷４２４へ供給される電圧の量を制御する。例えば、電圧レギュレータ４２２は、充電ＤＣ電流を負荷４２４へ供給する。
【００４２】
図５は、図４におけるシステム４００の例となる等価回路５００を表す。
【００４３】
示されるように、等価回路は、平行プレートキャパシタンスＣａａ５０２及びＣｐｐ５０４、キャパシタンスＣｔｔ５０６、並びにキャパシタンスＣｒｒ５０８を含む。
【００４４】
プレートキャパシタンスＣａａ５０２は、能動ドッキング電極４０６と能動デバイス電極３０８との間のキャパシタンスを表してよい。同様に、プレートキャパシタンスＣｐｐ５０４は、受動ドッキング電極４０８と受動デバイス電極３０２との間のキャパシタンスを表してよい。
【００４５】
キャパシタンスＣｔｔ５０６は、送信器側４０２にある、能動ドッキング電極４０６と受動ドッキング電極４０８との間のキャパシタンスを表してよい。他方で、キャパシタンスＣｒｒ５０８は、受信器側４０４にある、能動デバイス電極３０８と受動デバイス電極３０２との間のキャパシタンスを表してよい。
【００４６】
送信器側４０２から受信器側４０４にある負荷４２４へ最大電力を運ぶために、Ｃｔｔ５０６は、送信器側４０２の高出力インピーダンスを示すように可能な限り小さい必要がある。同様に、キャパシタンスＣｒｒ５０８は、負荷への最大電力供給を可能にするよう可能な限り小さい必要がある。
【００４７】
受信器側４０４では、平行プレートキャパシタンスＣａａ５０２及びＣｐｐ５０４は、充電電力伝送の間に高電界を維持するよう可能な限り高い必要がある。しかし、安定した充電を有するために、Ｃｐｐ５０４は、Ｃａａ５０２よりもずっと大きい必要がある。本質的に、４つのキャパシタンス（すなわち、Ｃｔｔ５０６、Ｃｒｒ５０８、Ｃａａ５０２及びＣｐｐ５０４）の間の最適化は、無線充電システムの電力伝送効率を左右する。このために、能動電極４０６及び３０８の垂直配置は、それらが形成するキャパシタンス（Ｃａａ５０２である。）を確かにしてよい。言い換えると、Ｃａａ５０２は、位置フレキシビリティを保ちながら安定なままであることができる。
【００４８】
図６は、カプラーアンテナ２０４及び２０６の例となる構造及び電気的特性を表す。例えば、カプラーアンテナ２０４及び２０６は、夫々能動デバイス電極３０８及び能動ドッキング電極４０６と一体にされてよい。
【００４９】
示されるように、カプラーアンテナ２０４は、カプラーアンテナ２０６と向かい合わせの位置にある。言い換えると、カプラーアンテナ２０４は、カプラーアンテナ２０６の近距離放射内に直接位置付けられる。更には、図６は、フリンジングキャパシタンス６００、平行プレートキャパシタンス６０２、カップリングキャパシタンス６０４、マイクロストリップ導体６０６、マイクロストリップ導体幅６０８、カップリング距離６１０、接地プレーン６１２、及び基板厚さ６１４を表す。
【００５０】
ここでの本実施の例として、マイクロストリップ導体６０６は、例えば、マイクロ波回路において一般に使用される低損失伝送路である。基板厚さ６１４を持った誘導体材料は、マイクロストリップ導体６０６と接地プレーン６１２との間に位置付けられる。実施において、接地プレーン６１２−２は、無線充電ユニット２００の能動デバイス電極３０８へ接続され、一方で、接地プレーン６１２−４は、容量性充電器コンポーネント２０２の能動ドッキング電極４０６へ接続される。
【００５１】
基板厚さ６１４−２のサイズが波長と比べて厚く、カプラーアンテナ２０４が整合された負荷（図示せず。）によって終端されている場合に、より小さい遠距離放射が起こり得る。例えば、波長のサイズは、マイクロストリップ導体６０６における信号電流の周波数によって定義される。この例では、マイクロストリップ導体６０６−２を流れる信号電流、及び接地プレーン６１２−２（すなわち、リターン経路）を通って戻る信号電流は、互いに極めて近くにあるように現れる。結果として、電流の相殺は、フリンジング場の距離にわたる指数関数的減少に起因して、より小さい遠距離放射を発生させ得る。
【００５２】
しかし、その近距離放射に関して、同じ構造は、強い近距離結合をサポートしてよい。例えば、マイクロストリップ導体６０６−２及びマイクロストリップ導体６０６−４がドッキング動作の間に互いにより近づけられる場合に、カップリングキャパシタンス６０４は、より高い値を生成する。この例では、カップリングキャパシタンス６０４は、カップリング距離６１０が短くなる場合に増大する。カップリングキャパシタンス６０４は、マイクロストリップ導体６０６どうしの間の重なり合った面積がより大きくなる場合に更に増大する。例えば、マイクロストリップ導体幅６０８どうしの間の重なり合った面積がより大きくなることは、カップリングキャパシタンス６０４を増大させる。他の例では、マイクロストリップ導体６０６−２からマイクロストリップ導体６０６−４へ伝送される信号強さは、結果として得られるキャパシタンス６０４の量を調整することによって制御され得る。この調整は、遠距離において生成される放射がより少なくなるよう構成されるほんのわずかな隔たり及び十分なカップリングキャパシタンス６０４のために最適化してよい。
【００５３】
引き続き図６を参照して、平行プレートキャパシタンス６０２は、マイクロストリップラインにおける寄生キャパシタンスのための等価キャパシタンスを含んでよい。平行プレートキャパシタンス６０２は、信号電流がマイクロストリップラインを流れている場合にフリンジングキャパシタンス６００と共存する。例えば、フリンジングキャパシタンス６００−２及び６００−４は、付勢信号電流によるカプラーアンテナ２０４の電気的特性を表す。
【００５４】
上述されたように、カプラーアンテナ２０４と無線充電ユニット２００との一体化は、無線充電の効率に影響を及ぼし得る付加的な不必要なキャパシタンスの量を導入し得る。同様に、不必要なキャパシタンスの量は、ドッキングステーション１０６で導入される。このために、以下で更に論じられるように、追加のデカップリングキャパシタンスが、無線デバイス１０２及びドッキングステーション１０６の回路構成に組み込まれる。例えば、デカップリングキャパシタンスは、導入された不必要なキャパシタンスの量の影響を最小限にする。
【００５５】
図７は、無線充電ユニット及びカプラーアンテナに基づく無線ドッキングコンボを表す略図７００を示す。例えば、略図７００は、図５における等価回路５００と図６におけるカプラーアンテナの例となる電気的特性との組み合わせに相当する。
【００５６】
示されるように、送信器４０２から受信器４０４への無線充電経路は、実線によって表される。他方で、ワイヤレス・コネクティビティの間のデータ信号のためのデータリンク経路は、破線によって表される。
【００５７】
更に、図７は、ポート７０２、ポート７０４、キャパシタンスＣｍ７０６、カップリングキャパシタンス６０４、デカップリングキャパシタ７０８、及びキャパシタンスＣｇ７１０を示す。
【００５８】
容量性無線充電動作の間、送信器側４０２にある能動ドッキング電極４０６は、ワイヤレス・コネクティビティの間に利用される振幅がミリボルト未満であるのと対照的に、数千ボルトまで運んでよい。このために、無線充電ユニット２００とデータリンク経路との共存は、ワイヤレス・コネクティビティの回路構成に対する干渉、そして損傷さえもたらし得る。
【００５９】
例えば、デカップリングキャパシタ７０８が図７の回路構成に挿入されない場合は、無線充電エネルギの大部分は、ポート７０１及び７０４に直接投入され得る。実施において、ポート７０２及び７０４は、例えば、Ｗｉ−Ｆｉラジオ又はモジュールの入力ポートである。投入される無線充電エネルギは、例えば、Ｗｉ−Ｆｉモジュールに損傷を与えうる。
【００６０】
実施において、デカップリングキャパシタ７０８は、無線充電電極及びカプラーアンテナの一体化による高電圧の影響を解消するために用いられる。例えば、デカップリングキャパシタ７０８は、小さい値（例えば、数ｐＦ）を有し且つ高い電圧定格（例えば、５００ボルト）を有する。この例では、デカップリングキャパシタ７０８は、低周波充電エネルギがポート７０２及び７０４に入らないようにするために（すなわち、開回路）、データリンク経路の入力及び出力部分に加えられる。そのような構成では、デカップリングキャパシタ７０８は、充電周波数の基本周波数のみならずその高調波周波数もブロックするのに有効である。
【００６１】
無線充電動作のために、カップリングキャパシタンス６０４は、通常は値が小さく、そのようなものとして、それは、無線充電システムへの開回路と見なされ得る。しかし、データリンク及び無線充電回路構成の共存によるキャパシタンスＣｍ７０６及びキャパシタンスＣｇ７１０の導入は、無視され得ない。デカップリングキャパシタ７０８の存在は、Ｃｍ７０６の影響を小さくする。Ｃｇ７１０の影響は、以下で更に論じられるように、ハードウェア構成によって小さくされ得る。
【００６２】
図８は、データ信号からの充電エネルギの分離を実施する、例となる試作基板の写真を示す。例えば、試作基板は、小型同軸ケーブル８００、接地基準８０２、システム接地８０４、チップバラン８０６、及びデカップリングキャパシタ７０８を含む。
【００６３】
実施において、小型同軸ケーブル８００は、その内側導体を通じてデータ信号を運び、一方で、充電電力は、その外側導体によって運ばれる。この実施では、デカップリングキャパシタ７０８の対は、データ信号のための平滑な遷移を達成するよう平衡伝送路において実装され得る。言い換えると、データ信号に対する充電電力による放射、漏れ、又は干渉は、より小さくなる。
【００６４】
更に、ディスクリート・バランの組（例えば、チップバラン８０６）は、例えば、回路コネクタのマイクロストリップライン出力をコプレーナ・ストリップラインに変換するために使用される。この技術は、データ信号への有意な不連続性を生じさせることなしに、システム接地８０４（すなわち、受動電極と同じ電位を運ぶ接地）からの、試作基板の左部分にある回路の接地プレーン８０２（すなわち、能動電極と同じ電位を運ぶ電位）の分離を可能にする。同様の機能は、図８（ｂ）に示されるように、分散回路バラン８０８によっても達成され得る。
【００６５】
例えば、分散回路バラン８０８は、データ信号８１０をシステム接地８０４から分離する。この例では、結果として、データ信号８１０において存在する不連続性は最小限である。
【００６６】
先に論じられたように、受信器側４０４での受動デバイス電極３０２とシステムシャーシとの結合は、充電ソリューションの容易な組み込みを可能にする。しかし、受動デバイス電極３０２は、システム接地８０４に直接結合され、結果として、能動デバイス電極３０８とシステム接地８０４との間の如何なるキャパシタンスも、受信器側４０４で自己キャパシタンス（すなわち、Ｃｒｒ５０８）に加えられる。次いで、この付加的なキャパシタンスは、充電電力の伝送効率を下げる。
【００６７】
付加的なキャパシタンスのこのような導入に対抗するよう、２つのデカップリングキャパシタ７０８は、データ信号をＷｉ−Ｆｉモジュール（図示せず。）へ結合するよう、図８（ａ）の平衡回路において示されるように直列に位置付けられる。２つのデカップリングキャパシタ７０８は、例えば、充電電力がブロックされる一方で、データ信号が通過することを可能にする。
【００６８】
図７に示されるような、導入される自己キャパシタンスＣｇ７１０に関して、接地基準８０２のための回路面積は、削減され、エアギャップは、マザーボードとシステムシャーシ／受動電極との間で増大される。例えば、図８（ａ）に示されるように、左部分にある接地基準８０２は、試作基板が無線デバイス１０２のシステムに組み込まれる場合に、Ｃｇ７１０を低減するよう最小限にされる。
【００６９】
図９は、ドッキング側での無線ドッキングコンボの例となるシステムレベルのブロック図を表す。
【００７０】
示されるように、図９は、カプラーアンテナ２０６、能動ドッキング電極４０６、デカップリングキャパシタ７０８、送信器モジュール４０２、アッテネータ９００、Ｗｉ−Ｄｉアダプタ９０２、及びデュプレキシングボード９０４を含む。
【００７１】
ドッキング側では、能動ドッキング電極４０６は、同じ空間においてカプラーアンテナ２０６と一緒に置かれる。言い換えると、容量性充電器コンポーネント２０２及びカプラーアンテナ２０６は、単一のユニットを形成するよう一体にされる。この単一のユニットにおいて、データ信号及び充電電力は、同軸ケーブル（例えば、小型同軸ケーブル８００）を通じてデュプレキシングボード９０４へ運ばれてよい。例えば、小型同軸ケーブル８００の中心導体は、データ信号を運び、一方、その外側導体は、受電電力を運ぶ。
【００７２】
実施において、アッテネータ９００及びカップリングキャパシタンス６０４は、データ信号の強さを制御するよう構成される。例えば、アッテネータ９００は、データ信号の振幅を制御することによってデータ信号における漏れを阻止又は制限するようデカップリングキャパシタ７０８と直列に加えられる。他の例では、カップリングキャパシタンス６０４は、強い近距離放射を得るよう制御される。そのような例では、デカップリングキャパシタ７０８及びアッテネータ９００は、高周波フィルタとして扱われてよい。
【００７３】
例えば、高周波フィルタは、高周波データ信号がＷｉ−Ｄｉアダプタ９０２によって処理されることを可能にし、一方、それは、低周波充電電力信号を送信器モジュール４０２からブロック又は分離する。この例では、低周波充電電力信号のブロッキングは、無線ドッキングコンボにおける干渉を防ぐ。
【００７４】
図１０は、デバイス側での無線ドッキングコンボの例となるシステムレベルのブロック図を表す。
【００７５】
示されるように、図１０は、カプラーアンテナ２０４、能動デバイス電極３０８、デカップリングキャパシタ７０８、アッテネータ９００、受信器モジュール４０４、ＲＦスイッチ１０００、Ｗｉ−Ｆｉモジュール１００２、ＷＬＡＮアンテナ１００４、及びデュプレキシング回路１００６を含む。
【００７６】
実施において、デバイス側でのシステムレベルのブロック図は、ドッキング側のシステムレベルのブロック図（すなわち、図９）と同様に動作する。例えば、カプラーアンテナ２０４は、データ信号の受信及び送信を容易にする。この例では、Ｗｉ−Ｆｉモジュール１００２は、このデータ信号を処理するよう構成される。
【００７７】
実施において、デカップリングキャパシタ７０８及びアッテネータ９００は、カプラーアンテナ２０４をＷｉ−Ｆｉモジュール１００２へ結合するために用いられる。この実施では、デカップリングキャパシタ７０８及びアッテネータ９００は、同様に、高周波フィルタとして扱われてよい。例えば、高周波フィルタは、低インピーダンス及び高インピーダンスを夫々データ信号及び充電電力に与える。この例では、高周波フィルタは、充電電力がＷｉ−Ｆｉモジュール１００２の入力及び出力ポートを通じて干渉しないようにすることができる。
【００７８】
実施において、ＲＦスイッチ１０００は、Ｗｉ−Ｆｉモジュール１００２からＷＬＡＮアンテナ１００４又はカプラーアンテナ２０４のいずれか一方への接続を切り替えるよう加えられる。ＷＬＡＮアンテナ１００４は、インターネット接続のために用いられてよく、一方、カプラーアンテナ２０４は、ワイヤレス・コネクティビティのために用いられてよい。この実施では、ＷＬＡＮアンテナ１００４又はカプラーアンテナ２０４は、低周波無線充電電力と比べて、より高い周波数の信号を用いる。
【００７９】
引き続き図１０を参照して、能動デバイス電極３０８は、無線充電ユニット２００の部分を形成する。他のコンポーネントは、上述されたように、受動デバイス電極３０２及び誘電体プラスチック３０６を含む。
【００８０】
図１１は、デバイスにおいて無線充電及びワイヤレス・コネクティビティのコンボを実装する、例となる方法を表す。方法が記載される順序は、制限として解釈されるよう意図されず、記載される方法ブロックはいくつでも、方法又は代替の方法を実施するよう、如何なる順序でも組み合わされてよい。加えて、個々のブロックは、ここで記載される対象の主旨及び適用範囲から逸脱することなしに方法から削除されてよい。更には、方法は、本発明の適用範囲から逸脱することなしに、如何なる適切なハードウェア、ソフトウェア、ファームウェア、又はそれらの組み合わせにおいても実施されてよい。
【００８１】
ブロック１１０２で、カプラーアンテナを通じてデータ信号を受信又は送信することが実行される。実施において、カプラーアンテナ２０４は、データ信号の受信又は送信を容易にするために用いられる。この実施では、データ信号は、ワイヤレス・コネクティビティ動作の間にＷｉ−Ｆｉモジュール（例えば、Ｗｉ−Ｆｉモジュール１００２）によって処理される。
【００８２】
ブロック１００４で、無線充電ユニットを通じて無線充電電力を受けることが実行される。実施において、無線充電ユニット（例えば、無線充電ユニット２００）は、受動デバイス電極（例えば、受動デバイス電極３０２）として働くよう構成される導電性シャーシ（例えば、金属シャーシ３００）を有する。この実施では、導電性シャーシは、デバイス（例えば、無線デバイス１０２）の底部の平面に沿って切り抜き（例えば、切り抜き３０４）を含む。
【００８３】
更に、無線充電ユニット２００は、切り抜き３０４の領域を覆うよう位置付けられる誘電性挿入物（例えば、誘電体インセット６０４）を含む。実施において、誘電性挿入物３０６は、無線充電ユニット２００に絶縁を与える非導電性プラスチック材料から作られる。この実施では、誘電性挿入物３０６は、切り抜き３０４の領域を覆うよう成形される。更に、誘電性挿入物３０６は、金属シャーシ３００において機械的な強さを与えるよう実装される。
【００８４】
また更には、無線充電ユニット２００は、誘電性挿入物３０６に一体化される導電性プレートを有する。例えば、導電性プレートは、誘電性挿入物３０６に積層又は一体化される能動デバイス電極（例えば、能動デバイス電極３０８）として働くよう構成される。この例では、能動デバイス電極３０８は、容量性無線充電プロセスの間、高電界を受けてよい。電界は、例えば、ドッキングステーション１０６の容量性充電器コンポーネントによって、生成されてよい。
【００８５】
ブロック１００６で、データ信号を無線充電電力から分離することが実行される。実施において、高周波フィルタ（例えば、デカップリングキャパシタ７０８及び／又はアッテネータ９００）は、カプラーアンテナ２０４をＷｉ−Ｆｉモジュール１００２へ結合するために用いられる。この実施では、高周波フィルタは、低インピーダンス及び高インピーダンスを夫々データ信号及び無線充電電力に与える。言い換えると、高周波フィルタは、データ信号がカプラーアンテナ２０４とＷｉ−Ｆｉモジュール１００２との間を通ることを可能にし、一方で、それは、低周波無線充電電力がデータ信号と干渉することを阻止する。
【００８６】
以下の例は、更なる実施形態に関係がある：
例１は、データ信号を受信又は送信することを容易にするよう構成されるカプラーアンテナと、前記データ信号を処理するよう構成される無線通信モジュールと、前記カプラーアンテナを前記無線通信モジュールへ結合するフィルタユニットとを有し、前記フィルタユニットは、インピーダンスを夫々前記データ信号及び充電電力へ与えるキャパシタを有する、デバイスである。
【００８７】
例２は、例１に記載されるデバイスであって、無線充電ユニットを更に有し、該無線充電ユニットは、当該デバイスの底面に位置付けられ、該底面において開口を形成する切り抜きを有し、受動デバイス電極として構成される導電性シャーシと、前記切り抜きの範囲を覆うよう位置付けられる誘電性挿入物と、前記誘電性挿入物と一体にされ、能動デバイス電極として構成される導電性プレートとを有し、前記能動デバイス電極及び前記受動デバイス電極は、前記充電電力の受電を容易にする、デバイスである。
【００８８】
例３は、例１又は２に記載されるデバイスであって、前記無線通信モジュールは、Ｗｉ−Ｆｉモジュールである、デバイスである。
【００８９】
例４は、例３に記載されるデバイスであって、少なくとも１つのデカップリングキャパシタが、前記Ｗｉ−Ｆｉモジュールの入力ポート及び出力ポートに位置付けられる、デバイスである。
【００９０】
例５は、例３に記載されるデバイスであって、前記フィルタユニットは、低インピーダンス及び高インピーダンスを夫々前記データ信号及び前記充電電力へ与えるデカップリングキャパシタを有する高周波フィルタユニットである、デバイスである。
【００９１】
例６は、例５に記載されるデバイスであって、前記高周波フィルタユニットは、前記データ信号の振幅を制御するよう構成されるアッテネータを含み、前記データ信号の振幅は、ワイヤレス・コネクティビティの間に前記カプラーアンテナと他のカプラーアンテナとの間の結合キャパシタンスを調整することによって更に制御される、デバイスである。
【００９２】
例７は、例１又は２に記載されるデバイスであって、前記充電電力の受電を容易にするよう構成される無線充電ユニットを更に有し、前記無線充電ユニット及び前記カプラーアンテナは、単一のユニットを形成するよう一体にされる、デバイスである。
【００９３】
例８は、例７に記載されるデバイスであって、前記無線充電ユニットは、前記カプラーアンテナによって接地プレーンとして用いられる導電性プレートを含む、デバイスである。
【００９４】
例９は、例７に記載されるデバイスであって、前記無線充電ユニットは、システム接地へ直接接続される導電性シャーシを含む、デバイスである。
【００９５】
例１０は、例７に記載されるデバイスであって、前記無線充電ユニットと前記カプラーアンテナとの一体化は、低減された回路面積を有する接地基準を含む、デバイスである。
【００９６】
例１１は、例１又は２に記載のデバイスであって、前記フィルタユニットは、前記データ信号の連続性を容易にするよう構成されるディスクリート・バランの組を含む、デバイスである。
【００９７】
例１２において、例１又は２に記載されるデバイスであって、当該デバイスは、タブレット、携帯電話機、及びラップトップを含むグループから選択される、デバイスである。
【００９８】
例１３は、データ信号の受信又は送信することを容易にするよう構成されるカプラーアンテナと、前記データ信号を処理するよう構成される無線通信モジュールと、前記カプラーアンテナを前記無線通信モジュールへ結合するフィルタユニットとを有し、前記フィルタユニットは、前記無線通信モジュールの入力ポート及び出力ポートにおいてキャパシタを含み、該キャパシタは、インピーダンスを夫々前記データ信号及び充電電力へ与えるよう構成される、無線ドッキングコンボである。
【００９９】
例１４は、例１３に記載される無線ドッキングコンボであって、前記無線通信モジュールは、Ｗｉ−Ｆｉモジュールである、無線ドッキングコンボである。
【０１００】
例１５は、例１３に記載される無線ドッキングコンボであって、前記充電電力の受電を容易にするよう構成される無線充電ユニットを更に有し、前記無線充電ユニット及び前記カプラーアンテナは、当該無線ドッキングコンボを形成するよう一体にされる、無線ドッキングコンボである。
【０１０１】
例１６は、例１３乃至１５のうちいずれか一つに記載される無線ドッキングコンボであって、前記無線充電ユニットは、当該無線ドッキングコンボの底面に位置付けられ、該底面において開口を形成する切り抜きを有し、受動デバイス電極として構成される導電性シャーシと、前記切り抜きの範囲を覆うよう位置付けられる誘電性挿入物と、前記誘電性挿入物と一体にされ、能動デバイス電極として構成される導電性プレートとを有し、前記能動デバイス電極及び前記受動デバイス電極は、前記充電電力の受電又は送電を容易にする、無線ドッキングコンボである。
【０１０２】
例１７は、例１３乃至１５のうちいずれか一つに記載される無線ドッキングコンボであって、前記無線充電ユニットは、前記カプラーアンテナによって接地プレーンとして用いられる導電性プレートを含む、無線ドッキングコンボである。
【０１０３】
例１８は、例１５に記載される無線ドッキングコンボであって、前記無線充電ユニットは、システム接地へ直接接続される導電性シャーシを含む、無線ドッキングコンボである。
【０１０４】
例１９は、例１３乃至１５のうちいずれか一つに記載される無線ドッキングコンボであって、前記フィルタユニットは、前記カプラーアンテナを前記無線通信モジュールへ結合する高周波フィルタユニットであり、該高周波フィルタユニットは、前記無線通信モジュールの入力ポート及び出力ポートにデカップリングキャパシタを含み、該デカップリングキャパシタは、低インピーダンス及び高インピーダンスを夫々前記データ信号及び前記充電電力へ与えるよう構成される、無線ドッキングコンボである。
【０１０５】
例２０は、例１９に記載される無線ドッキングコンボであって、前記高周波フィルタユニットは、前記データ信号の強さを制御するよう構成されるアッテネータを含み、前記データ信号の強さは、ワイヤレス・コネクティビティの間に前記カプラーアンテナと他のカプラーアンテナとの間の結合キャパシタンスを調整することによって更に制御される、無線ドッキングコンボである。
【０１０６】
例２１は、例１３乃至１５のうちいずれか一つに記載される無線ドッキングコンボであって、前記フィルタユニットは、前記データ信号の連続性を容易にするよう構成されるディスクリート・バランの組を含む、無線ドッキングコンボである。
【０１０７】
例２２は、例１３乃至１５のうちいずれか一つに記載される無線ドッキングコンボであって、当該無線ドッキングコンボは、タブレット、携帯電話機、又はラップトップのコンポーネントである、無線ドッキングコンボである。
【０１０８】
例２３は、デバイスにおいて無線充電及びワイヤレス・コネクティビティのコンボを実装する方法であって、カプラーアンテナを通じてデータ信号を受信又は送信するステップと、無線充電ユニットを通じて無線充電電力を受けるステップと、インピーダンスを夫々前記データ信号及び前記無線充電電力に与えるキャパシタを用いることによって、前記データ信号を前記無線充電電力から離すステップとを有する方法である。
【０１０９】
例２４は、例２３に記載される方法であって、前記データ信号の受信又は送信は、前記データ信号の強さを制御するよう構成されるアッテネータを使用し、前記データ信号の強さは、ワイヤレス・コネクティビティの間に前記カプラーアンテナと他のカプラーアンテナとの間の結合キャパシタンスを調整することによって更に制御される、方法である。
【０１１０】
例２５は、例２３又は２４に記載される方法であって、前記キャパシタは、前記データ信号を処理するよう構成されるＷｉ−Ｆｉモジュールの入力ポート及び出力ポートに位置付けられる、方法である。
【０１１１】
例２６は、例２３乃至２５のうちいずれか一つに記載される方法であって、前記データ信号は、高周波データ信号を含み、前記無線充電電力は、低周波無線充電電力を含む、方法である。
【図１】
0006517264.tif 000002
【図２】
0006517264.tif 000003
【図３】
0006517264.tif 000004
【図４】
0006517264.tif 000005
【図５】
0006517264.tif 000006
【図６】
0006517264.tif 000007
【図７】
0006517264.tif 000008
【図８】
0006517264.tif 000009
【図９】
0006517264.tif 000010
【図１０】
0006517264.tif 000011
【図１１】
0006517264.tif 000012